(57)【要約】【課題】電球型蛍光ランプの小型化を図る。【解決手段】口金７と、上記口金７と反対側へ突き出して取り付けられる発光管５と、発光管５を取り付ける取付部４と、点灯装置を設置する基板１とを有する電球型蛍光ランプにおいて、発光管５と取付部４とに囲まれる空間へ、取付部４から突出する凸部２を備え、基板１は、点灯装置を設置する設置面が発光管５と対向するように配置され、少なくとも一部分が凸部２へ挿入され、凸部２は、基板１を保持する保持部３を有することを特徴とする。【選択図】        図１
2004214038.tif 000002
【特許請求の範囲】
【請求項１】
口金と、上記口金と反対側へ突き出して取り付けられる発光管と、上記発光管を取り付ける取付部と、点灯装置を設置する基板とを有する電球型蛍光ランプにおいて、
上記発光管と上記取付部とに囲まれる空間へ、上記取付部から突出する凸部を備え、
上記基板は、上記点灯装置を設置する設置面が発光管と対向するように配置され、少なくとも一部分が上記凸部へ挿入され、
上記凸部は、上記基板を保持する保持部を有することを特徴とする電球型蛍光ランプ。
【請求項２】
上記保持部は、上記基板の３つの側面を保持することを特徴とする請求項１記載の電球型蛍光ランプ。
【請求項３】
口金と、上記口金と反対側へ突き出して取り付けられる発光管と、上記発光管を取り付ける取付部と、点灯装置を設置する基板とを有する電球型蛍光ランプにおいて、
上記発光管は、多角形を底面とする空間を形成し、
上記空間へ、上記取付部から突出する凸部を備え、
上記基板は、少なくとも一部分を上記凸部へ挿入され、上記多角形の底面の対角線上であって、上記点灯装置を設置する設置面が発光管と対向するように配置されることを特徴とする請求項１または２記載の電球型蛍光ランプ。
【請求項４】
上記基板は、口金側の端部に、二つのテーパー部分を有することを特徴とする請求項１から３いずれかに記載の電球型蛍光ランプ。
【請求項５】
上記二つのテーパー部分は、上記発光管から引き出されたリード線を接続する端子を有することを特徴とする請求項４記載の電球型蛍光ランプ。
【請求項６】
上記リード線は、コネクタが取り付けられ、
上記基板は、上記コネクタを差し込むコネクタ受け部を有することを特徴とする請求項１から４いずれかに記載の電球型蛍光ランプ。
【請求項７】
口金と、上記口金と反対側へ突き出して取り付けられる発光管と、上記発光管を取り付ける取付部と、点灯装置を設置する基板とを有する電球型蛍光ランプの製造方法において、
上記発光管と上記取付部とに囲まれる空間へ、上記取付部から突出し、上記基板を保持する保持部分を有する凸部を形成し、
上記基板を、上記点灯装置を設置する設置面が上記発光管と対向するように配置し、
上基板の少なくとも一部分を上記凸部へ挿入し、
上記保持部分を用いて、上記基板を上記凸部へ固着することを特徴とする電球型蛍光ランプの製造方法。
【発明の詳細な説明】
【０００１】
【発明の属する技術分野】
この発明は、電球型蛍光ランプの小型化に関する。
【０００２】
【従来の技術】
電球型蛍光ランプは、点灯装置（高周波点灯装置）と発光管とが一体になっている。点灯装置は、プレートの口金側に配置されていた。このため、白熱電球に比べ、カバー部分が大きくなっていた。
特開平７−３３５１７６には、「正面視略Ｕ字状に屈曲された第１Ｕ字状管部４ａの端部を延出方向と逆方向に夫々屈曲することによって側面視逆Ｕ字状に形成される第２Ｕ字状管部４ｂと、第２Ｕ字状管部の夫々の端部に蛍光灯取付本体２へ着脱自在なランプ口金１２を設けた蛍光灯４を被い隠すべく蛍光灯取付本体に装着する蛍光灯カバー体５とを備え、カバー体５を装着することにより全体が疑似電球に形成される電球型蛍光灯１に於いて、蛍光灯取付本体の中央部又は中央部近傍には、第１、第２Ｕ字状管部の間に形成される空間部１５へ突出した凸部２ａを設け、凸部内には蛍光灯動作回路１４を収納する（特開平７−３３５１７６、要約参照）」電球型蛍光灯が開示されている。この電球型蛍光灯によれば、疑似電球として使用した場合は外観状のバランスが良く、製品流通時等の才数も減少させて運搬コストの合理化を図ることを目的としている。
【０００３】
【発明が解決しようとする課題】
この発明では、点灯装置を搭載する基板の配置を改良することによって、電球型蛍光ランプの小型化を図ることを目的とする。
【０００４】
【特許文献１】
特開平７−３３５１７６号公報
【特許文献２】
特開平６−１３２０１６号公報
【０００５】
【課題を解決するための手段】
この発明に係る電球型蛍光ランプは、口金と、上記口金と反対側へ突き出して取り付けられる発光管と、上記発光管を取り付ける取付部と、点灯装置を設置する基板とを有する電球型蛍光ランプにおいて、
上記発光管と上記取付部とに囲まれる空間へ、上記取付部から突出する凸部を備え、
上記基板は、上記点灯装置を設置する設置面が発光管と対向するように配置され、少なくとも一部分が上記凸部へ挿入され、
上記凸部は、上記基板を保持する保持部を有することを特徴とする。
【０００６】
上記保持部は、上記基板の３つの側面を保持することを特徴とする。
【０００７】
口金と、上記口金と反対側へ突き出して取り付けられる発光管と、上記発光管を取り付ける取付部と、点灯装置を設置する基板とを有する電球型蛍光ランプにおいて、
上記発光管は、多角形を底面とする空間を形成し、
上記空間へ、上記取付部から突出する凸部を備え、
上記基板は、少なくとも一部分を上記凸部へ挿入され、上記多角形の底面の対角線上であって、上記点灯装置を設置する設置面が発光管と対向するように配置されることを特徴とする。
【０００８】
上記基板は、口金側の端部に、二つのテーパー部分を有することを特徴とする。
【０００９】
上記二つのテーパー部分は、上記発光管から引き出されたリード線を接続する端子を有することを特徴とする。
【００１０】
上記リード線は、コネクタが取り付けられ、
上記基板は、上記コネクタを差し込むコネクタ受け部を有することを特徴とする。
【００１１】
この発明に係る電球型蛍光ランプの製造方法は、口金と、上記口金と反対側へ突き出して取り付けられる発光管と、上記発光管を取り付ける取付部と、点灯装置を設置する基板とを有する電球型蛍光ランプの製造方法において、
上記発光管と上記取付部とに囲まれる空間へ、上記取付部から突出し、上記基板を保持する保持部分を有する凸部を形成し、
上記基板を、上記点灯装置を設置する設置面が上記発光管と対向するように配置し、
上基板の少なくとも一部分を上記凸部へ挿入し、
上記保持部分を用いて、上記基板を上記凸部へ固着することを特徴とする。
【００１２】
【発明の実施の形態】
実施の形態１．
図１は、実施の形態１の電球型蛍光ランプの一例を示す図である。図１は、一部断面図となっている。
図１では、基板１、凸部２、保持部３、取付部４、発光管５、カバー部６、口金７とを表している。
基板１は、点灯装置を設置する。点灯装置の部品として、コンデンサ、コイル、給電装置等が一例としてあげられる。基板１は、点灯装置を設置する二つの設置面と側面とを備える。二つの設置面のうち一方は、点灯装置の一部をハンダ付けするハンダ面となる。また、側面は、二つの設置面と垂直の関係になり、二つの設置面の間に挟まれる部分（二つの設置面の間に挟まれる部分の外周）を指す。また、図面において、特に明記しない場合、基板１の側面は斜面で示している。さらに、基板１は、電力を発光管５へ供給する給電部を有する。
【００１３】
凸部２は、発光管５の隙間へ突出して空間を形成し、形成した空間内へ点灯装置等を配置することを可能とする。
保持部３は、凸部２内に挿入する基板１を保持する。保持部３は、基板１を固着（固定、あるいは、定着）させ、電球型蛍光ランプ使用中に、基板が動くことがないようにする。
取付部４は、発光管５を取り付ける。また、取付部４は、カバー部６と接続する。
カバー部６は、取付部４と口金７との間に配置され、取付部４と口金７とを接続する。図１では、カバー部６と取付部４とは別々の部品として構成した例を示しているが、カバー部６と取付部４とを一体としたものを取付部４としてもよい。
カバー部６と取付部４とが一体となった場合、口金７は、取付部４へ直接取り付けられることになる。
【００１４】
図２は、基板１と凸部２と発光管５とを正面から見た図である。
この明細書内で、正面は、口金７が配置されている側を指し、底面は、口金と反対側であって、発光管５が突き出している側、あるいは、凸部２が突き出している側を指す。
図２では、図１の電球型蛍光ランプを正面（口金７側）から見た図である。また、発光管５は、Ｕ字型の部分が４つある場合を示している。また、保持部３は、省略している。
図２では、基板１の側面は、斜線で示している。
また、基板１と凸部２と発光管５以外の構成要素については省略している。基板１には、点灯装置の部品を設置した例を示している。図２は、電極１０を２箇所設置した例を示している。
【００１５】
図１及び図２に示すように、基板１は、点灯装置が設置される設置面が発光管５と対向するように、凸部２へ挿入される。挿入した基板１は、保持部３によって保持（固着）される。
基板１は、設置面が底面に対して垂直になるように凸部２へ挿入される。また、基板１は、凸部２が突き出している方向に設置面が発光管５へ対向するようにして挿入される、ということもできる。
また、図２では、４つのＵ字型の発光管５（４つのＵ字型の部分を有する発光管５）を配置した矩形（正方形）の空間に凸部２を形成した例を示している。図２の例では、基板１は、凸部２の対角線上（対角線を含む位置）へ配置している。
対角線上に配置することによって、基板１の設置面に設置する点灯装置の部品高さが高い場合に適用できることになる。
また、基板の設置面の面積を大きくすることが可能になる。
【００１６】
図３は、基板１と凸部２と保持部３との関係を表す図である。図３（Ａ）は、側面から見た図であり、凸部２は断面を示している。図３（Ｂ）は、Ａ−Ａ’断面図であり、基板１もＡ−Ａ’断面を示している。図３は、基板１と凸部２と保持部３以外の構成要素は省略して表している。
図３では、保持部３は、３つの保持部３からなり、凸部２内（凸部２の内側、凸部２の内部）に取り付けられる例を示した。保持部３は、凸部２の内側に限られず、凸部２の上部（外側）に取り付けられていてもよい。
保持部３は、基板１を保持し、電球型蛍光ランプを使用する場合に、基板１が動かないように固着する。また、保持部３は、基板の３つの側面を保持する。
３つの側面は、凸部２に挿入された基板１の部分であることが好ましい。
図３（Ｂ）に示すように、保持部３は、溝を形成し、基板１は、保持部３の溝い沿って（はめ込んで）挿入される。また、保持部３の一つは、基板１の底となる側面（電球型蛍光ランプの底面側になる基板１の側面）を固定する。
【００１７】
また、図１及び図３では、凸部２は、３つの保持部３を備える場合を示しているが、３つに限られることはない。基板１が保持し、固着できる場合であれば、保持部３の数は、問わない。また、基板１は、動かないように保持されるためには、３つの側面を保持することが好ましい。また、保持部３は、凸部２内に設置されている場合、凸部２内に挿入された基板１の部分の三つの側面を保持する場合が好ましい。上記三つの側面には、底面側の側面が含まれていることが好ましい。
このように、保持部３を有することによって、基板の固定が容易になる。
【００１８】
図４は、保持部３の一例を示した図である。
図３と同様に、図４は、基板１と凸部２と保持部３とを示している。
図４は、基板１の３つの側面を保持する例を示している。
３つの側面を保持する保持部３であれば、保持部３は、２つであってもよいし（図４（Ａ）、（Ｄ））、４つの保持部３であってもよい（図４（Ｂ））。また、さらに、一つの保持部３であってもよい（図４（Ｃ）、（Ｅ））。
また、保持部３の少なくとも一つが、凸部２の底面に接着している場合であってもよいし（図４（Ａ），（Ｂ），（Ｃ））、保持部３は、凸部２の側面に接着しているが、底面に接着していない場合であってもよい（図４（Ｄ），（Ｅ））。
【００１９】
保持部３は、点灯装置を設置することができる設置面の面積を減少させるため、設置面に重なる部分が少なくなることが、設置面を広く取るためには好ましい。
一方、基板１を固着させるためには、保持部３が設置面と重なる面がある程度広くなることが好ましい場合もある。
また、図４には示していないが、保持部３は、凸部２の上部（口金７側の部分）に配置されてもよい。例えば、図４（Ｂ）の口金７側に配置された二つの保持部３は、凸部２の外側に配置されてもよい。
【００２０】
実施の形態２．
実施の形態２では、凸部２の底面の形状と基板１の配置との関係について説明する。
図５は、凸部２の底面の形状と基板１の配置の関係の一例を表した図である。
図５は、基板１の側面を斜線で示している。
図５（Ａ），（Ｂ）は、凸部２の底面が八角形の場合であり、図５（Ｃ），（Ｄ）は、凸部２の底面の形状が三角形の場合である。
図５では、凸部２の底面が、八角形と三角形の場合を一例として説明したが、その他の形状であってもかまわない。また、底面は、多角形であってもよいし、円形、略円形、楕円形等、あるいは、直線と曲線との複合の形状であってもかまわない。凸部２の底面は、発光管５によって形成される空間に配置できる形状であればよい。
また、図５では、発光管５に対向する凸部２の側面の部分については表していないが、側面は、上記底面を有する柱体であってもよいし、上記底面を有する錐体であってもよい。また、柱体、錐体以外の形状であってもかまわない。柱体、あるいは、錐体の一部分がくびれている場合であってもよい。
【００２１】
図５に示すように、基板１を底面の多角形の対角線上に配置した場合（図５（Ａ））、基板を底面の多角形の対角線上ではない位置に配置した場合（図５（Ｂ））がある。基板１に設置する点灯装置の形状によって、基板１を配置する位置を変えることが可能になる。
また、図５（Ｃ），（Ｄ）では、底面が三角形の場合であり、基板１の配置を２種類示した。
基板１を凸部２の底面の対角線上に（対角線に沿って）配置した場合、基板１の両側の空間の広さを確保しやすくなる。特に、上記対角線と垂直の関係になる対角線の空間を確保できるため、高さの高い部品を配置しやすくなる。
基板１を凸部２の側面（発光管と対向する面）と並行に配置した場合、基板１の両側の空間の広さを調節することによって、点灯装置を配置することが可能になる。
また、底面の面積を広くするためには、発光管５のＵ字型形状部分の数は、四つ以上の偶数であることが好ましい。
【００２２】
このように、基板１を底面の対角線に沿って配置し（あるいは、点灯装置の部品の配置に適応するように基板１を配置し）、点灯装置の部品を基板１へ両面実装することによって、基板１の面積を小さくすることができる。また、空間が広い部分に大きな部品（高さの高い部品）を配置することによって、点灯部品を搭載した基板１全体の大きさを小さくすることが可能になる。また、点灯装置の部品の配置によって、凸部２の底面の形状を小さくすることが可能になる。
したがって、電球型蛍光ランプ全体を小型化することができる。
【００２３】
実施の形態３．
図６は、発光管５から引き出されたリード線の接続の形態を表した図である。基板１は、上部（基板１の口金７側の頂部）にテーパー部分を有する。テーパー部分は、カバー部６の形状に沿った形状（カバー部６と平行となる形状）にする。これによって、カバー部６の大きさ（特に、カバー部６の外周）を小さくすることが可能となる。
テーパー部分には、リード線を接続する端子が備えられる。リード線と端子との接続を図６（Ｂ）に示している。
リード線Ｘ１，Ｘ２と、リード線Ｙ１，Ｙ２とは、基板１の二つのテーパー部分それぞれに配置された端子へ接続される。これにより、絶縁が容易になる。
リード線を端子に接続することによって、リード線が電極と接続され、給電部から電力の供給を受けることを可能とする。
図７は、発光管５から引き出されたリード線の接続（端子が三つの例）の形態を表した図である。接続する端子の関係がわかる範囲で簡略化して示した。
また、図７は、一方のリード線が並列接続となっている場合、すなわち、図６で示したリード線Ｙ１、Ｙ２が並列接続となっている場合を示した。
さらに、二つのテーパー部分の間の基板部分に凹凸（例えば、くぼみ、凹部）を作ることによって、沿面距離を長くし、絶縁性を向上させることができる（後述する図８（Ｄ），（Ｅ）参照）。
このように、基板１の形状を改良することによって、カバー部６の小形化が容易になる。
また、端子の配置を工夫することによって、絶縁が容易になる。
【００２４】
実施の形態４．
図８は、コネクタ９を用いてリード線を電極へ接続する例を示した図である。
リード線は、コネクタ９が取り付けられている。
また、基板１は、上記コネクタを差し込むコネクタ受け部８を有する。
例えば、発光管５側の同電極側それぞれにコネクタをつけ、基板１の口金７よりの頂部に設置したコネクタ受け部８に接続する。
コネクタ９は、コネクタ受け部８へ差し込むことによって、電極へ接続され、給電部から発光管へ電力の供給を可能とする。
また、リード線へコネクタ９を取り付けることによって、リード線を端子に接続する場合に比べ、組み立てが容易になり、作業量を減少させることができる。
【００２５】
図８では、二つのコネクタ９を取り付けた場合（図８（Ａ））と、一つのコネクタ９を取り付けた場合（図８（Ｂ））とを示した。また、基板１にテーパー部分を有しない場合も示した（図８（Ｃ））。
コネクタ受け部８は、コネクタ９を差し込み易い位置に配置されることが作業効率を向上させる。
さらに、基板１の形状へ凹凸（くぼみ、凹部）を付け、沿面距離を長くして、コネクタを設置することも可能である。図８（Ｄ），（Ｅ）にくぼみを付けた例を示す。
また、コネクタを用いることによって、基板１の面積を小さくすることも可能になる。
【００２６】
実施の形態５．
図９は、基板１へ点灯装置の部品を設置した形態を示した図である。基板１の側面は、斜線で示している。
点灯装置は、凸部２の空間に収まるように、設置する方向を変えることができる（図９（Ａ））。例えば、コンデンサを基板１に平行に寝かせること、コンデンサを基板１の長手方向でかつ基板の一方へ配置する。また、設置面のいずれかを幅の小さい（高さの低い）点灯装置の部品を設置し、他方を幅の大きい（高さの高い）点灯装置の部品を設置する（図９（Ｂ））ことによって、凸部２の空間を有効に利用することができる。例えば、基板１の両面に部品を配置し、かつ、コンデンサを基板１に平行に寝かせ、面実装部品をコンデンサと同じ設置面に配置する。
また、点灯装置の部品それぞれは、必ずしも基板１の設置面に接していなくてもよい。一部分が設置面に接する場合（図９（Ｄ））や、設置面と接することなく、接続される場合（図９（Ｅ））であってもよい。
このように、点灯装置の部品の配置を改良することによって、基板１（インバータ基板）全体の体積を小さくすることができる。
【００２７】
実施の形態６．
上記実施の形態では、凸部２は、底面を有する場合を説明したが、底面がない場合であってもよい。点灯装置は、異物の侵入の排除等が必要となるが、特に、発光管５を覆う、グローブがある場合は、凸部２は、底面がない場合であっても、外部からの異物の侵入を排除することができ、一定の安全性も確保することができる。
また、基板１は、凸部２の内側（凸部２で囲まれる空間、内部の空間）へ基板１の一部分を挿入し、基板１の残りの部分を凸部２からはみだすようにする場合を一例として説明した。このようにして、リード線を端子へ接続しやすいようにした。
また、コネクタ等の利用により、リード線の接続が容易である場合には、基板１全体、あるいは、基板１のほぼ全体が凸部２に挿入されてもよい。これによって、電球型蛍光ランプの小形化が図れる。
【００２８】
【発明の効果】
この発明によれば、基板の配置等を改良することによって、電球型蛍光ランプの小形化、あるいは、細形化が図れる。
【図面の簡単な説明】
【図１】実施の形態１の電球型蛍光ランプの一例を示す図（一部断面図）。
【図２】基板１と凸部２と発光管５とを正面から見た図。
【図３】基板１と凸部２と保持部３との関係を表す図。
【図４】保持部３の一例を示した図。
【図５】凸部２の底面の形状と基板１の配置の関係の一例を表した図。
【図６】発光管５から引き出されたリード線の接続の形態を表した図。
【図７】発光管５から引き出されたリード線の接続（端子が三つの例）の形態を表した図。
【図８】コネクタ９を用いてリード線を電極へ接続する例を示した図。
【図９】基板１へ点灯装置の部品を設置した形態を示した図。
【符号の説明】
１  基板、２  凸部、３  保持部、４  取付部、５  発光管、６  カバー部、７  口金、８  コネクタ受け部、９  コネクタ、１０  電極。
【図１】
2004214038.tif 000003
【図２】
2004214038.tif 000004
【図３】
2004214038.tif 000005
【図４】
2004214038.tif 000006
【図５】
2004214038.tif 000007
【図６】
2004214038.tif 000008
【図７】
2004214038.tif 000009
【図８】
2004214038.tif 000010
【図９】
2004214038.tif 000011